(57)【要約】【課題】自然石調の外観を有すると共に、所望の形状を有する飾り台を提供すること。【解決手段】難燃材からなる複数個の中間材ブロックＫｋｃを一体化することによって構成され、かつ少なくとも一部が水平面である所定の立体形状を有する骨格部材Ｋｋと、骨格部材Ｋｋを覆うように形成された樹脂モルタル層Ｋｊと、骨格部材Ｋｋの水平面に対応する樹脂モルタル層Ｋｊの部分に第１の砕石粒子及び樹脂系接着剤の混練体を塗布して形成された第１の岩肌感を有する水平な表層Ｋｓ１と、樹脂モルタル層Ｋｊの残余の部分に、第１の砕石粒子と異なる第２の砕石粒子及び樹脂系接着剤の混練体を塗布して形成された第２の岩肌感を有する表層Ｋｓ２とを有している。【選択図】図１
0003154975.tif 000002
【実用新案登録請求の範囲】
【請求項１】
難燃材からなる複数個の中間材ブロック（Ｋｋｃ）を一体化することによって構成され、かつ少なくとも一部が水平面である所定の立体形状を有する骨格部材（Ｋｋ）と、骨格部材（Ｋｋ）を覆うように形成された樹脂モルタル層（Ｋｊ）と、骨格部材（Ｋｋ）の水平面に対応する樹脂モルタル層（Ｋｊ）の部分に第１の砕石粒子及び樹脂系接着剤の混練体を塗布して形成された第１の岩肌感を有する水平な表層（Ｋｓ１）と、樹脂モルタル層（Ｋｊ）の残余の部分に、第１の砕石粒子と異なる第２の砕石粒子及び樹脂系接着剤の混練体を塗布して形成された第２の岩肌感を有する表層（Ｋｓ２）とを有することを特徴とする飾り台。
【請求項２】
骨格部材（Ｋｋ）のうち、床と接する部分を接着して床と一体化する面接合用接着剤層を有することを特徴とする請求項１に記載の飾り台。
【請求項３】
第１の岩肌感を有する水平な表層（Ｋｓ１）に代えて天然石製の板材（Ｋｔ）を有することを特徴とする請求項１または請求項２に記載の飾り台。
【請求項４】
一部の中間材ブロック（Ｋｋｃ）が水平に延びるように残余の中間材ブロック（Ｋｋｃ）と一体化されていると共に、水平方向に延びる金属製の補強部材を有していることを特徴とする請求項１から請求項３の何れかに記載の飾り台。
【考案の詳細な説明】
【技術分野】
【０００１】
本考案は、自然石調の飾り台に関する。
特に、室内の他の調度品と良好な調和を達成できる自然石調の飾り台に関する。
【背景技術】
【０００２】
従来から、自然石を用いた飾り台として、自然石をある程度の厚みになるように切断し、研磨したものが提供されていた。
このような飾り台としては、自然石のみで構成されたもののみならず、自然石と木製の受け部材とからなるものが提供されていた（従来技術１）。
従来技術１は、自然石であることに起因して、重量が重くなる。したがって、飾り台として使用する場合には、実際上、余り大きいものは使用することができない。この結果、飾り台としての形状の自由度を余り高めることができない。
また、平面的な自然石調塗装技術が提案されている（特許文献１、及び特許文献２参照）。
特許文献１には、複数色からなる粒子径分布が１ｍｍ〜１５ｍｍの模様色形成分散相粒子と、模様色形成分散相粒子を粒子状態で分散可能な透明な分散媒とを主要構成成分とする自然石調塗料塑性物を、下塗層上に塗装することを特徴とする自然石調塗装方法が記載されている。
特許文献２には、骨材を含有し、この骨材が石英粒よりなる白色の珪砂であると共に、バインダーとしての粒子状のアクリル系樹脂を含有することを特徴とする内装用建築材（請求項６、請求項８）が記載されている。
【０００３】
特許文献１、特許文献２に記載の技術は共に、たとえ厚塗り塗装をしたとしても、平面的な自然石調の内装壁又は内装床しか提供できず、自然石調の飾り台を提供することができなかった。まして、室内の他の調度品と良好な調和を達成することができる自然石調の飾り台（所望の形状を有する自然石調の飾り台）を提供することができなかった。
特許文献１、特許文献２に記載された自然石調塗料方法は、平面的な自然石調の内装壁又は内装床の提供に限定されており、さらに、室内の他の調度品と良好な調和を達成することができる自然石調の飾り台（所望の形状を有する自然石調の飾り台）を提供するという技術的課題の達成については何らの記載も示唆もない。
【先行技術文献】
【特許文献】
【０００４】
【特許文献１】特開２００４−３３１１３０号公報
【特許文献２】再公表２００４−０５３２５４号公報
【考案の概要】
【考案が解決しようとする課題】
【０００５】
本考案が解決しようとする課題は、以下の通りである。
○本考案が解決しようとする第１課題
自然石調の外観を有すると共に、所望の形状を有する飾り台を提供することである。
○本考案が解決しようとする第２課題
室内の他の調度品と良好な調和を達成することができる自然石調の飾り台を提供することである。
○本考案が解決しようとする第３課題
室内の床面に固定された自然石調の飾り台を提供することである。
○本考案が解決しようとする第４課題
高級感のある自然石調の飾り台を提供することである。
○本考案が解決しようとする第５課題
装飾品を支持するのに十分な強度を有する自然石調の飾り台を提供することである。
【課題を解決するための手段】
【０００６】
課題を解決するための手段は、本願の[実用新案登録請求の範囲]の各請求項に記載の考案である。
本願の実用新案登録請求の範囲、明細書、図面等に記載された用語の解釈上の疑義を解消すべく、以下に予め用語の説明を行うこととする。
○飾り台とは、各種の物品を調度品として陳列するための台をいう。ここで、各種の物としては、水槽、装飾皿、茶器等が例示できるが、これらに限定されるものではない。
○自然石調とは、外観が自然石の色調（自然石特有の石目、色彩をいう）を有することをいう。
○難燃材とは、燃焼する速さは遅いが、ある程度の時間は燃え続ける材料をいう。
○中間材ブロックとは、所定形状の目的物を構成するために用いられるブロックであって、立方体形状、直方体形状等を有するように予め成形されたものをいう。具体的には、例えば、厚さが２５ｍｍ〜１００ｍｍのブロックが例示できる。
○骨格部材とは、飾り台の骨格をなす部材であって、複数個の中間材ブロックを一体化することによって構成されたものをいう。
【０００７】
○樹脂モルタルとは、合成樹脂を混合したモルタルをいう。
○砕石粒子とは、天然の岩石を破砕機等で人工的に小さく砕いて得られた粒子である。そして、原料となる天然の岩石が異なる場合には、異なる砕石粒子（例えば、第１の砕石粒子と第２の砕石粒子）が得られる。そして、本願で好適に用いられる砕石粒子の粒径は、５ｍｍ以下である。
○樹脂系接着剤とは、熱可塑性樹脂等を有機溶剤に溶解させてなる接着剤をいう。
○砕石粒子と樹脂系接着剤の混練体とは、砕石粒子と樹脂系接着剤を混練して得られたものをいう。具体的には、砕石粒子と樹脂系接着剤との混合比を、５：０．５から５：２に設定して混練すればよいが、混合比を５：１に設定して混練することが好ましい。
○表層とは、砕石粒子と樹脂系接着剤の混練体を塗布することによって得られた最も表面に位置する層をいう。この表層は、結果的に岩肌感を有している。
○面接合用接着剤とは、面同士を接着するのに好適な接着剤をいう。具体的には、エポキシ系樹脂接着剤が例示できる。
○エポキシ系樹脂接着剤とは、エポキシ樹脂を主成分とする接着剤をいう。
本考案者は、上記の従来技術が有する各種の問題点に鑑み、鋭意検討を重ねて、本考案を完成した。
【０００８】
本考案者が、本考案が解決しようとする課題の重要性に気付く契機となったのは、従来技術の欠点を生じる最大の原因が、立体的な自然石調の飾り台に対するニーズに気付いていなかったことである。
課題を解決するための手段は、本願の実用新案登録請求の範囲の各請求項に記載の考案であり、その具体的な解決手段は、以下の通りである。
○第１の発明（請求項１に記載の発明）
上記の課題を解決するための第１の考案（請求項１に記載の考案）は、
難燃材からなる複数個の中間材ブロックを一体化することによって構成され、かつ少なくとも一部が水平面である所定の立体形状を有する骨格部材と、骨格部材を覆うように形成された樹脂モルタル層と、骨格部材の水平面に対応する樹脂モルタル層の部分に第１の砕石粒子及び樹脂系接着剤の混練体を塗布して形成された第１の岩肌感を有する水平な表層と、樹脂モルタル層の残余の部分に、第１の砕石粒子と異なる第２の砕石粒子及び樹脂系接着剤の混練体を塗布して形成された第２の岩肌感を有する表層とを有することを特徴とする飾り台である。
○第２の発明（請求項２に記載の発明）
上記の課題を解決するための第２の考案（請求項２に記載の考案）は、
骨格部材のうち、床と接する部分を接着して床と一体化する面接合用接着剤層を有することを特徴とする請求項１に記載の飾り台である。
【０００９】
○第３の発明（請求項３に記載の発明）
上記の課題を解決するための第３の考案（請求項３に記載の考案）は、
第１の岩肌感を有する水平な表層に代えて天然石製の板材を有することを特徴とする請求項１または請求項２に記載の飾り台である。
○第４の発明（請求項４に記載の発明）
上記の課題を解決するための第４の考案（請求項４に記載の考案）は、
一部の中間材ブロックが水平に延びるように残余の中間材ブロックと一体化されていると共に、水平方向に延びる金属製の補強部材を有していることを特徴とする請求項１から請求項３の何れかに記載の飾り台である。
【考案の効果】
【００１０】
本考案に係る飾り台は、上記のような特徴的構成要件から構成され、特徴的構成要件に応じた、以下のような本願考案特有の効果を奏する。
また、上記のような特徴的構成要件から構成された飾り台によれば、本願考案の課題を解決することができた。
○第１の考案の効果
第１の考案によれば、難燃材からなる複数個の中間材ブロックを一体化することによって構成され、かつ少なくとも一部が水平面である所定の立体形状を有する骨格部材と、骨格部材を覆うように形成された樹脂モルタル層と、骨格部材の水平面に対応する樹脂モルタル層の部分に第１の砕石粒子及び樹脂系接着剤の混練体を塗布して形成された第１の岩肌感を有する水平な表層と、樹脂モルタル層の残余の部分に、第１の砕石粒子と異なる第２の砕石粒子及び樹脂系接着剤の混練体を塗布して形成された第２の岩肌感を有する表層とを有するという特徴的な構成要件により、
複数個の中間材ブロックの組み合わせによって所望の形状の骨格部材を簡単に得ることができ、この骨格部材を樹脂モルタル層で覆い、水平部分を第１の岩肌感を有する水平な表層で覆い、残余の部分を第２の岩肌感を有する表層で覆うことによって、自然石調の外観を有すると共に、所望の形状を有する飾り台を提供することができた。
また、室内の他の調度品と良好な調和を達成することができる自然石調の飾り台を提供することができた。
すなわち、本考案が解決しようとする第１課題、及び第２課題を達成することができ、当業者予測不可能な顕著な効果を奏することができた。
【００１１】
○第２の考案の効果
第２の考案によれば、骨格部材のうち、床と接する部分を接着して床と一体化する面接合用接着剤層を有するという特徴的な構成要件により、
飾り台を床に対して強固に固定することができる飾り台を提供することができた。
すなわち、本考案が解決しようとする第３課題を達成することができ、当業者予測不可能な顕著な効果を奏することができた。
○第３の考案の効果
第３の考案によれば、第１の岩肌感を有する水平な表層に代えて天然石製の板材を有するという特徴的な構成要件により、
少なくとも一部の水平面に天然石製の板材を有する飾り台を提供することができた。
すなわち、本考案が解決しようとする第４課題を達成することができ、当業者予測不可能な顕著な効果を奏することができた。
○第４の考案の効果
第４の効果によれば、一部の中間材ブロックが水平に延びるように残余の中間材ブロックと一体化されていると共に、水平方向に延びる金属製の補強部材を有しているという特徴的な構成要件により、
張り出し形状を有しながら、十分な機械的強度を有する飾り台を提供することができた。
すなわち、本考案が解決しようとする第５課題を達成することができ、当業者予測不可能な顕著な効果を奏することができた。
【図面の簡単な説明】
【００１２】
【図１】本考案の飾り台の一実施形態の主要部を示す概略図であり、図１中の（Ａ）が正面図を、（Ｂ）が平面図を、（Ｃ）が（Ａ）のＣ−Ｃ線断面図を、（Ｄ）が模式的に示す一部拡大断面図を、（Ｅ）が水槽を載せた状態を示す正面図を、それぞれ示している。
【図２】本考案の飾り台の他の実施形態を示す概略図であり、図２中の（Ａ）が正面図を、（Ｂ）が平面図を、（Ｃ）が横断平面図を、（Ｄ）が縦断正面図を、それぞれ示している。
【図３】本考案の飾り台のさらに他の実施形態を示す概略図であり、図３中の（Ａ）が正面図を、（Ｂ）が背面図を、（Ｃ）が横断平面図を、（Ｄ）が縦断正面図を、それぞれ示している。
【図４】本考案の飾り台のさらに他の実施形態を示す概略図であり、図４中の（Ａ）が正面図を、（Ｂ）が平面図を、（Ｃ）が縦断正面図を、それぞれ示している。
【図５】本考案の飾り台のさらに他の実施形態を示す概略図であり、図５中の（Ａ）が正面図を、（Ｂ）が水槽を載せた状態を示す正面図を、それぞれ示している。
【考案を実施するための形態】
【００１３】
以下、添付図面を参照して、本考案の飾り台の実施の形態を詳細に説明する。
第１の考案の飾り台は、難燃材からなる複数個の中間材ブロックＫｋｃを一体化することによって構成され、かつ少なくとも一部が水平面である所定の立体形状を有する骨格部材Ｋｋと、骨格部材Ｋｋを覆うように形成された樹脂モルタル層Ｋｊと、骨格部材Ｋｋの水平面に対応する樹脂モルタル層Ｋｊの部分に第１の砕石粒子及び樹脂系接着剤の混練体を塗布して形成された第１の岩肌感を有する水平な表層Ｋｓ１と、樹脂モルタル層Ｋｊの残余の部分に、第１の砕石粒子と異なる第２の砕石粒子及び樹脂系接着剤の混練体を塗布して形成された第２の岩肌感を有する表層Ｋｓ２とを有することを特徴としている。
第２の考案の飾り台は、骨格部材Ｋｋのうち、床と接する部分を接着して床と一体化する面接合用接着剤層を有することを特徴としている。
第３の考案の飾り台は、第１の岩肌感を有する水平な表層Ｋｓ１に代えて天然石製の板材Ｋｔを有することを特徴としている。
第４の考案の飾り台は、一部の中間材ブロックＫｋｃが水平に延びるように残余の中間材ブロックＫｋｃと一体化されていると共に、水平方向に延びる金属製の補強部材を有していることを特徴としている。
【００１４】
[図１]は、本考案の飾り台の一実施形態の主要部を示す概略図である。
この飾り台は、鉛直方向に延びるように位置決めされた背の低い３枚の難燃材からなる板状の中間材ブロックＫｋｃ１１と、背の高い１枚の難燃材からなる板状の中間材ブロックＫｋｃ１２を一体化し、３枚の難燃材からなる板状の中間材ブロックＫｋｃ１１により支持されるように、１枚の難燃材からなる板状の中間材ブロックＫｋｃ１３を一体化し、背の高い１枚の難燃材からなる板状の中間材ブロックＫｋｃ１２の上端部に対して、１枚の難燃材からなる板状の中間材ブロックＫｋｃ１４を一体化し、中間材ブロックＫｋｃ１４を板状の中間材ブロックＫｋｃ１３の上方に位置決めしている。また、中間材ブロックＫｋｃ１２の、中間材ブロックＫｋｃ１４取り付け面と反対側の面の上部に１枚の難燃材からなる板状の中間材ブロックＫｋｃ１５を一体化している。
そして、このように中間材ブロックＫｋｃ１１、Ｋｋｃ１２、Ｋｋｃ１３、Ｋｋｃ１４、Ｋｋｃ１５を一体化することにより、骨格部材Ｋｋを構成している。ここで、中間材ブロックは、板状のままで使用されてもよいが、必要に応じて、少なくとも一面を斜めに切除した状態で使用されてもよく、この結果として、所望の立体形状を有する骨格部材Ｋｋを提供することができる。
そして、骨格部材Ｋｋの底面を除く全表面を覆うように、こて等を用いて樹脂モルタルを塗布して樹脂モルタル層Ｋｊを形成し、樹脂モルタル層Ｋｊを覆うように、こて等を用いて砕石粒子及び樹脂系接着剤の混練体を塗布して岩肌感を有する表層Ｋｓを形成している。なお、骨格部材Ｋｋの水平面に対応する樹脂モルタル層Ｋｊの部分に第１の砕石粒子及び樹脂系接着剤の混練体を塗布して形成された第１の岩肌感を有する水平な表層Ｋｓ１を形成し、樹脂モルタル層Ｋｊの残余の部分に、第１の砕石粒子と異なる第２の砕石粒子及び樹脂系接着剤の混練体を塗布して形成された第２の岩肌感を有する表層Ｋｓ２を形成している。
ここで、砕石粒子と樹脂系接着剤との混合比を、５：０．５から５：２に設定して混練すればよいが、混合比を５：１に設定して混練することが好ましい。
上記の構成の飾り台は、室内の床面に単に置いておいてもよいが、安定性を高めるためには、飾り台の底面を、エポキシ系樹脂接着剤等からなる面接合用接着剤層によって、床に一体的に固定することが好ましい。
ただし、第１の岩肌感を有する水平な表層Ｋｓ１に代えて、所望の箇所のみに天然石製の板材Ｋｔを採用することが可能であり、高級感を高めることができる。
上記の構成の飾り台であれば、最も上部の平坦面に水槽ｓを支持させ、他の平坦面に小さい装飾品を支持させることができ、室内の他の調度品との調和を達成することができる。
なお、図１の飾り台においては、平坦な面（装飾品等を置くための面）が３箇所に存在している。そして、最も上部の平坦面以外の平坦面は、高さ位置が異なっているので、背の低い３枚の難燃材からなる板状の中間材ブロックＫｋｃ１を段付き形状としておくことが必要である。
また、図１中（Ｃ）においては、簡素化のために、表層Ｋｓの表示を省略してある。
【００１５】
[図２]は、本考案の飾り台の他の実施形態を示す概略図である。
この飾り台は、鉛直方向に延びるように位置決めされた背の低い４枚の難燃材からなる板状の中間材ブロックＫｋｃ２１と、中間材ブロックＫｋｃ２１上に片持ち状に支持された２枚の難燃材からなる板状の中間材ブロックＫｋｃ２２と、最も端に位置する中間材ブロックＫｋｃ２１に沿うように設けられた１枚の難燃材からなる板状の中間材ブロックＫｋｃ２３と、反対側の端に位置する中間材ブロックＫｋｃ２１に沿うように、かつ中間材ブロックＫｋｃ２２の下面に接するように設けられた３枚の難燃材からなる板状の中間材ブロックＫｋｃ２４と、最も中間材ブロックＫｋｃ２１側に位置する中間材ブロックＫｋｃ２４に連続して下部に設けられた１枚の難燃材からなる板状の中間材ブロックＫｋｃ２５と、２枚の難燃材からなる板状の中間材ブロックＫｋｃ２２の所定位置の上面に重ねて設けられた２枚の難燃材からなる板状の中間材ブロックＫｋｃ２６とを一体化することにより、骨格部材Ｋｋを構成している。ここで、中間材ブロックは、板状のままで使用されてもよいが、必要に応じて、少なくとも一面を斜めに切除した状態で使用されてもよく、この結果として、所望の立体形状を有する骨格部材Ｋｋを提供することができる。
なお、中間材ブロックＫｋｃ２２、Ｋｋｃ２６を水平方向に貫通するように円形のデザイン空間Ｋｋｄを形成している。また、中間材ブロックＫｋｃ２３と中間材ブロックＫｋｃ２６の間に対応する中間材ブロックＫｋｃ２２の上面が陳列用の平坦面に設定されている。
そして、骨格部材Ｋｋの底面を除く全表面を覆うように、樹脂モルタルを塗布して樹脂モルタル層Ｋｊを形成し、樹脂モルタル層Ｋｊを覆うように、砕石粒子及び樹脂系接着剤の混練体を塗布して岩肌感を有する表層Ｋｓを形成している。なお、骨格部材Ｋｋの水平面に対応する樹脂モルタル層Ｋｊの部分に第１の砕石粒子及び樹脂系接着剤の混練体を塗布して形成された第１の岩肌感を有する水平な表層Ｋｓ１を形成し、樹脂モルタル層Ｋｊの残余の部分に、第１の砕石粒子と異なる第２の砕石粒子及び樹脂系接着剤の混練体を塗布して形成された第２の岩肌感を有する表層Ｋｓ２を形成している。
ここで、砕石粒子と樹脂系接着剤との混合比を、５：０．５から５：２に設定して混練すればよいが、混合比を５：１に設定して混練することが好ましい。
この実施形態の飾り台においては、中間材ブロックＫｋｃ２２の上面のうち、中間材ブロックＫｋｃ２３と中間材ブロックＫｋｃ２６とで囲まれた領域が水槽を設置する領域となっている。
上記の構成の飾り台は、室内の床面に単に置いておいてもよいが、安定性を高めるためには、飾り台の底面を、エポキシ系樹脂接着剤等からなる面接合用接着剤層Ｋａによって、床に一体的に固定することが好ましい。
ただし、第１の岩肌感を有する水平な表層Ｋｓ１に代えて、天然石製の板材Ｋｔを採用することが可能であり、高級感を高めることができる。
なお、図２中（Ｃ）、（Ｄ）においては、簡素化のために、表層Ｋｓの表示を省略してある。
【００１６】
[図３]は、本考案の飾り台のさらに他の実施形態を示す概略図である。
この飾り台は、水平方向に延びるように位置決めされた１枚の難燃材からなる板状の中間材ブロックＫｋｃ３１と、中間材ブロックＫｋｃ３１上に並べて立設された７枚の難燃材からなる板状の中間材ブロックＫｋｃ３２と、最も端に位置する中間材ブロックＫｋｃ３２に沿うように設けられた１枚の難燃材からなる板状の中間材ブロックＫｋｃ３３とを一体化することにより、骨格部材Ｋｋを構成している。ここで、中間材ブロックは、板状のままで使用されてもよいが、必要に応じて、少なくとも一面を斜めに切除した状態で使用されてもよく、この結果として、所望の立体形状を有する骨格部材Ｋｋを提供することができる。
なお、中央の５枚の中間材ブロックＫｋｃ３２の所定箇所を切除することによって、陳列用の平坦面を形成している。
そして、骨格部材Ｋｋの底面を除く全表面を覆うように、樹脂モルタルを塗布して樹脂モルタル層Ｋｊを形成し、樹脂モルタル層Ｋｊを覆うように、砕石粒子及び樹脂系接着剤の混練体を塗布して岩肌感を有する表層Ｋｓを形成している。なお、骨格部材Ｋｋの水平面に対応する樹脂モルタル層Ｋｊの部分に第１の砕石粒子及び樹脂系接着剤の混練体を塗布して形成された第１の岩肌感を有する水平な表層Ｋｓ１を形成し、樹脂モルタル層Ｋｊの残余の部分に、第１の砕石粒子と異なる第２の砕石粒子及び樹脂系接着剤の混練体を塗布して形成された第２の岩肌感を有する表層Ｋｓ２を形成している。
ここで、砕石粒子と樹脂系接着剤との混合比を、５：０．５から５：２に設定して混練すればよいが、混合比を５：１に設定して混練することが好ましい。
上記の構成の飾り台は、室内の床面に単に置いておいてもよいが、安定性を高めるためには、飾り台の底面を、エポキシ系樹脂接着剤等からなる面接合用接着剤層Ｋａによって、床に一体的に固定することが好ましい。
ただし、第１の岩肌感を有する水平な表層Ｋｓ１に代えて、天然石製の板材Ｋｔを採用することが可能であり、高級感を高めることができる。
なお、図３中（Ｃ）、（Ｄ）においては、簡素化のために、表層Ｋｓの表示を省略してある。
【００１７】
[図４]は、本考案の飾り台のさらに他の実施形態を示す概略図である。
この飾り台は、鉛直方向に延びるように位置決めされた背の高い３枚の難燃材からなる板状の中間材ブロックＫｋｃ４１と、中間材ブロックＫｋｃ４１上に片持ち状に支持された１枚の難燃材からなる板状の中間材ブロックＫｋｃ４２と、最も端に位置する中間材ブロックＫｋｃ４１に沿うように設けられた整形用の中間材ブロックＫｋｃ４３とを一体化することにより、骨格部材Ｋｋを構成している。ここで、中間材ブロックは、板状のままで使用されてもよいが、必要に応じて、少なくとも一面を斜めに切除した状態で使用されてもよく、この結果として、所望の立体形状を有する骨格部材Ｋｋを提供することができる。
なお、中間材ブロックＫｋｃ４２は、中間材ブロックＫｋｃ４１からの張り出し長さが長いので、十分な機械的強度を達成するために、鉄筋等の金属製棒状補強部材を埋め込み状に設けておくことが好ましい。
そして、骨格部材Ｋｋの底面を除く全表面を覆うように、樹脂モルタルを塗布して樹脂モルタル層Ｋｊを形成し、樹脂モルタル層Ｋｊを覆うように、砕石粒子及び樹脂系接着剤の混練体を塗布して岩肌感を有する表層Ｋｓを形成している。なお、骨格部材Ｋｋの水平面に対応する樹脂モルタル層Ｋｊの部分に第１の砕石粒子及び樹脂系接着剤の混練体を塗布して形成された第１の岩肌感を有する水平な表層Ｋｓ１を形成し、樹脂モルタル層Ｋｊの残余の部分に、第１の砕石粒子と異なる第２の砕石粒子及び樹脂系接着剤の混練体を塗布して形成された第２の岩肌感を有する表層Ｋｓ２を形成している。
ここで、砕石粒子と樹脂系接着剤との混合比を、５：０．５から５：２に設定して混練すればよいが、混合比を５：１に設定して混練することが好ましい。
上記の構成の飾り台は、室内の床面に単に置いておいてもよいが、安定性を高めるためには、飾り台の底面を、エポキシ系樹脂接着剤等からなる面接合用接着剤層Ｋａによって、床に一体的に固定することが好ましい。
ただし、第１の岩肌感を有する水平な表層Ｋｓ１に代えて、天然石製の板材Ｋｔを採用することが可能であり、高級感を高めることができる。
なお、図４中（Ｃ）においては、簡素化のために、表層Ｋｓの表示を省略してある。
[図５]は、本考案の飾り台のさらに他の実施形態を示す概略図である。
この飾り台は、最上面と、最上面から少し低い位置に設けた平坦面を陳列面としている。
この実施形態においては、骨格部材は示していない。しかし、上記の実施形態の説明から容易に類推可能であるから、詳細な説明を省略する。この実施形態においても、最上面に水槽を支持し、少し低い位置の平坦面に陳列品を陳列することができる。
なお、以上の実施形態においては、水槽を陳列する場合について説明したが、水槽以外の陳列品を陳列できることはもちろんである。
また、以上の説明から明らかなように、所望の形状の中間材ブロックを所望の個数だけ用いることによって、所望の形状の骨格部材を構成することができ、ひいては、所望の形状の飾り台を提供することができる。
また、接着剤を用いる中間材ブロックの一体化作業、樹脂モルタルの塗装作業、砕石粒子及び樹脂系接着剤の混練体の塗布作業を行うことによって、所望の形状の飾り台を提供することができるので、飾り台を設置する場所で上記の一連の作業を行うことができ、しかも、簡単な作業であるから、短時間で飾り台を提供することができる。
【符号の説明】
【００１８】
Ｋｋｃ    中間材ブロック
Ｋｋ      骨格部材
Ｋｊ      樹脂モルタル層
Ｋｓ      表層
【図１】
0003154975.tif 000003
【図２】
0003154975.tif 000004
【図３】
0003154975.tif 000005
【図４】
0003154975.tif 000006
【図５】
0003154975.tif 000007